(57)【要約】【課題】ガラスの破損を回避し、かご室内の客がガラス扉の戸当り部同士の間に形成される隙間から昇降路へ異物を入れるのを防ぎ、かつ戸当りゴムや透明のビニール等、他の部材により視界が遮られることのないエレベータガラス扉を提供する。【解決手段】戸当り部にフレームがない中央両開きのエレベータガラス扉において、ガラス扉１は、戸当り部に段差を有するように貼り合わされる二枚合わせガラスで構成され、一方のガラス扉１に設けられる段差の凸部が他方のガラス扉１に設けられる段差の凹部に入り込んであいじゃくり状に配置される構成とした。【選択図】図１
2008019065.tif 000002
【特許請求の範囲】
【請求項１】
戸当り部にフレームがない中央両開きのエレベータガラス扉において、
ガラス扉は、戸当り部に段差を有するように貼り合わされる二枚合わせガラスで構成され、一方のガラス扉に設けられる前記段差の凸部が他方のガラス扉に設けられる前記段差の凹部に入り込んであいじゃくり状に配置されることを特徴とするエレベータガラス扉。
【請求項２】
戸当り部にフレームがない中央両開きのエレベータガラス扉において、
ガラス扉は、戸当り部に段差を有するように貼り合わされる三枚合わせガラスで構成され、一方のガラス扉に設けられる前記段差の凸部が他方のガラス扉に設けられる前記段差の凹部に入り込んであいじゃくり状に配置されることを特徴とするエレベータガラス扉。
【請求項３】
合わせガラスは、厚さの異なる複数のガラス板で構成されることを特徴とする請求項１又は請求項２に記載のエレベータガラス扉。
【発明の詳細な説明】
【技術分野】
【０００１】
この発明は、エレベータのかごの戸又は乗り場の戸に使用されるエレベータガラス扉に関するものである。
【背景技術】
【０００２】
従来の中央両開きのエレベータガラス扉で戸当り部にフレームがない場合について、図３〜図５により説明する。図３は従来のエレベータガラス扉を示す正面図、図４は従来のエレベータガラス扉を示す横断面図、図５は図４のＡ部拡大図で、従来のエレベータガラス扉の戸当り部に戸当りゴムまたは透明のビニールを取り付けた場合の図である。
左右のガラス扉１は上枠に固定されたドアハンガー（図示せず）に吊り下げられ、このドアハンガーがドアレール（図示せず）に沿ってかかごの間口方向に移動することにより円滑に開閉される。
従来のガラス扉１は、単板ガラス板３又は二枚のガラス板３が透明の樹脂からなる中間膜４を挟み込み、透明の接着剤により接着して構成される二枚合わせガラスを使用している。この場合、ガラス扉１の戸当り部同士を互いに当接させるとガラス扉１が破損する恐れがあるため、ガラス扉１の戸当り部同士の間には隙間が形成されている。
もしくはガラス扉１の戸当り部同士の間に形成される隙間を埋めるため、ガラス扉１の戸当り面に戸当りゴム５ａまたは透明のビニール５ｂを取り付け、ガラス扉１の戸当り部同士を互いに当接させている。
【０００３】
また、別の中央両開きのエレベータ扉として、火災時においても乗場戸の戸当たり部と戸当たり部材との間に隙間を生じさせないため、乗場戸の戸当たり部を戸当たり部材に固定する固定手段を設けたものが提案されている（例えば、特許文献１参照）。
【０００４】
【特許文献１】特開２００５−３４３６１７号公報
【発明の開示】
【発明が解決しようとする課題】
【０００５】
従来の中央両開きのエレベータガラス扉で戸当り側にフレームがない場合において、ガラス扉１の戸当り部に隙間が形成されている場合、かご室６内の客がガラス扉１の戸当り部同士の間に形成された隙間から昇降路７へ異物を入れてしまうという問題があった。また、ガラス扉１の戸当り面に戸当りゴム５ａまたは透明のビニール５ｂを取り付け、戸当り部を互いに当接させる場合は、戸当りゴム５ａにより視界を遮られ、または、透明のビニール５ｂの経年変化により透明度が落ち、全ガラス製の扉の利点を活用しきれていなかった。
【０００６】
また、特許文献１記載のものは、火災時のみ扉の戸当り部同士の間に隙間を埋めるため、エレベータの通常運転時には、隙間が形成された状態のままであるという問題があった。
【０００７】
この発明は、上述のような課題を解決するためになされたもので、その目的は、ガラスの破損を回避し、かご室６内の客がガラス扉の戸当り部同士の間に形成される隙間から昇降路７へ異物を入れるのを防ぎ、かつ戸当りゴム５ａや透明のビニール５ｂ等、他の部材により視界が遮られることのないエレベータガラス扉を提供することである。
【課題を解決するための手段】
【０００８】
この発明に係るエレベータガラス扉は、戸当り部にフレームがない中央両開きのエレベータガラス扉において、ガラス扉は、戸当り部に段差を有するように貼り合わされる二枚合わせガラスで構成され、一方のガラス扉に設けられる前記段差の凸部が他方のガラス扉に設けられる前記段差の凹部に入り込んであいじゃくり状に配置される。
【発明の効果】
【０００９】
この発明は、戸当り部にフレームがない中央両開きのエレベータガラス扉において、ガラス扉は、戸当り部に段差を有するように貼り合わされる二枚合わせガラスで構成され、一方のガラス扉に設けられる前記段差の凸部が他方のガラス扉に設けられる前記段差の凹部に入り込んであいじゃくり状に配置される構成としたことで、ガラスの破損を回避し、かご室内の客がガラス扉の戸当り部同士の間に形成される隙間から昇降路へ異物を入れるのを防ぐことができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明によるエレベータガラス扉の実施の形態１を示す戸当り部の横断面図である。この発明によるエレベータガラス扉は、中央両開きのかごの戸及び乗り場の戸に使用できるが、以下、かごの戸に使用する場合で説明する。
【００１２】
図において、１はガラス扉、３ａは肉厚のガラス板、３ｂは肉薄のガラス板、４は透明の樹脂からなる中間膜、６はかご室、７は昇降路である。
【００１３】
この発明のガラス扉１は、肉厚のガラス板３ａと、肉薄のガラス板３ｂと、肉厚のガラス３ａと肉薄のガラス板３ｂに挟まれ、透明の接着剤により接着される中間膜４から構成される二枚合わせガラスで形成されている。肉薄のガラス板３ｂは戸閉方向に突出しており、ガラス扉１の戸当り部は段差を有している。このガラス扉１を左右互い違いに設置することにより、左右のガラス扉１が構成される。ガラス扉１の全閉時において、左右のガラス扉１の一方に設けられる肉薄のガラス板３ｂの戸閉方向への凸部が、他方に設けられる肉厚のガラス板３ａ及び中間膜４の戸当り部に形成される凹部に入り込んであいじゃくり状に配置され、互いの戸当り部を当接しないように設置される。
【００１４】
このように構成されたエレベータガラス扉においては、左右のガラス扉１の一方に設けられる肉薄のガラス板３ｂの戸閉方向への凸部が、他方に設けられる肉厚のガラス板３ａ及び中間膜４の戸当り部に形成される凹部に入り込んであいじゃくり状に配置され、互いの戸当り部を当接しないように設置されるため、左右のガラス扉１の戸当り部の間には横断面Ｚ状の隙間が形成される。このため、図１に示すようにかご室６内から矢印で示す方向に異物を投げても、直線的な隙間がないので、異物の進行を阻止される。従って、かご室６内から左右のガラス扉１の戸当り部の隙間を通過して昇降路７に異物を入れることはできない。
【００１５】
また、全閉時に、左右のガラス扉１の戸当り部の間に横断面Ｚ状の隙間が形成されることにより、左右のガラス扉１についてかごの間口方向のみならず、かごの奥行き方向についても隙間を維持できる。このため、左右のガラス扉１がかごの間口方向及び奥行き方向に振れても互いに接触しない。従って、戸当りゴム５ａや透明のビニール５ｂ等の他の部材により、視界が遮られることもなくガラスの透明感を維持しつつ、ガラスの破損を回避できる。なお、二枚合わせガラスにおいて、厚さの異なる肉厚のガラス板３ａと肉薄のガラス板３ｂを使用することにより、かごの奥行き方向の触れに対してより確実に左右のガラス扉１が互いに接触しないようになっている。
【００１６】
なお、この発明にも透明の樹脂からなる中間膜４を使用しているが、従来のガラス扉１に使用される透明のビニール５ｂと異なり、ガラス扉１の開閉により接触を繰り返すこともなく、また表面の大部分を占める両側面は透明の接着剤を介してガラス板３により挟まれているため、従来のガラス扉１に使用される透明のビニール５ｂと比較して経年変化による透明度の劣化も著しく少ない。また、左右のガラス扉１に設けられる肉薄のガラス板３ｂは戸閉方向へ突出しているが、その分、肉厚のガラス板３ａが戸開方向へ凹部を有しているため、ガラス扉１を構成する二枚合わせガラスに使用されるガラスの総量が少なくなり、材料費を抑えることができる。
【００１７】
実施の形態２．
図２はこの発明によるエレベータガラス扉の実施の形態２を示す戸当り部の横断面図である。この発明によるエレベータガラス扉は、中央両開きのかごの戸及び乗り場の戸に使用できるが、以下、かごの戸に使用する場合で説明する。
【００１８】
図において、１はガラス扉、３ａは肉厚のガラス板、３ｂは肉薄のガラス板、３ｃは肉厚のガラス板３ａと肉薄のガラス板３ｂの中間の厚さを持つガラス板（以下、中間厚のガラス板と言う）、４は透明の樹脂からなる中間膜、６はかご室、７は昇降路である。
【００１９】
この発明のガラス扉１の一方は、二枚の肉薄のガラス板３ｂと、二枚の肉薄のガラス板３ｂの間に配置される肉厚のガラス板３ａと、肉薄のガラス板３ｂ及び肉厚のガラス板３ａに挟まれ、透明の接着剤により接着される中間膜４から構成される三枚合わせガラスで形成されている。また、この発明のガラス扉１の他方は、二枚の中間厚のガラス板３ｃと、二枚の中間厚のガラス板３ｃの間に配置される肉薄のガラス板３ｂと、中間厚のガラス板３ｃ及び肉薄のガラス板３ｂに挟まれ、透明の接着剤により接着される中間膜４から構成される三枚合わせガラスで形成されている。ガラス扉１の一方及び他方に設けられる肉薄のガラス板３ｂは戸閉方向へ突出しており、一方のガラス扉１の戸当り部は両側部側に段差を有し、他方のガラス扉１の戸当り部は中央に段差を有している。このガラス扉１の一方及び他方を設置することにより左右のガラス扉１が構成される。
【００２０】
ガラス扉１の全閉時において、左右のガラス扉１の一方に設けられる肉薄のガラス板３ｂの戸閉方向への凸部が、他方に設けられる中間厚のガラス板３ｃ及び中間膜４の戸当り部に形成される凹部に入り込むとともに、左右のガラス扉１の他方に設けられる肉薄のガラス板３ｂの戸閉方向への凸部が、一方に設けられる肉厚のガラス板３ａ及び中間膜４の戸当り部に形成される凹部に入り込んであいじゃくり状に配置され、互いの戸当り部を当接しないように設置される。
【００２１】
このように構成されたエレベータガラス扉においては、左右のガラス扉１の一方に設けられる肉薄のガラス板３ｂの戸閉方向への凸部が、他方に設けられる中間厚のガラス板３ｃ及び中間膜４の戸当り部に形成される凹部に入り込むとともに、左右のガラス扉１の他方に設けられる肉薄のガラス板３ｂの戸閉方向への凸部が、一方に設けられる肉厚のガラス板３ａ及び中間膜４の戸当り部に形成される凹部に入り込んであいじゃくり状に配置され、互いの戸当り部を当接しないように設置されるため、左右のガラス扉１の戸当り部の間には横断面Ω状の隙間が形成される。このため、図２に示すようにかご室６内から矢印で示す方向に異物を投げても、直線的な隙間がないので、異物の進行を阻止される。従って、かご室６内から左右のガラス扉１の戸当り部の隙間を通過して昇降路７に異物を入れることはできない。
【００２２】
また、全閉時に、左右のガラス扉１の戸当り部の間に横断面Ω状の隙間が形成されることにより、左右のガラス扉１についてかごの間口方向のみならず、かごの奥行き方向についても隙間を維持できる。このため、左右のガラス扉１がかごの間口方向及び奥行き方向に振れても互いに接触しない。従って、戸当りゴム５ａや透明のビニール５ｂ等の他の部材により、視界が遮られることもなくガラスの透明感を維持しつつ、ガラスの破損を回避できる。なお、三枚合わせガラスにおいて、厚さの異なる肉厚のガラス板３ａ、肉薄のガラス板３ｂ及び中間厚のガラス板３ｃを使用することにより、かごの奥行き方向の触れに対してより確実に左右のガラス扉１が互いに接触しないようになっている。
【００２３】
なお、この発明にも透明の樹脂からなる中間膜４を使用しているが、従来のガラス扉１に使用される透明のビニール５ｂと異なり、ガラス扉１の開閉により接触を繰り返すこともなく、また表面の大部分を占める両側面は透明の接着剤を介してガラス板３により挟まれているため、従来のガラス扉１に使用される透明のビニール５ｂと比較して経年変化による透明度の劣化も著しく少ない。また、左右のガラス扉１に設けられる肉薄のガラス板３ｂは戸閉方向へ突出しているが、その分、肉厚のガラス板３ａ及び中間厚のガラス板３ｃが戸開方向へ凹部を有しているため、ガラス扉１を構成する三枚合わせガラスに使用されるガラスの総量が少なくなり、材料費を抑えることができる。
【００２４】
なお、ガラス扉１をかごの戸に使用する場合だけでなく、乗り場の戸に使用する場合も同様の構成とすることで適応できるのは言うまでもない。
【図面の簡単な説明】
【００２５】
【図１】この発明によるエレベータガラス扉の実施の形態１を示す戸当り部の横断面図である。
【図２】この発明によるエレベータガラス扉の実施の形態２を示す戸当り部の横断面図である。
【図３】従来のエレベータガラス扉を示す正面図である。
【図４】従来のエレベータガラス扉を示す横断面図である。
【図５】図４のＡ部拡大図で、従来のエレベータガラス扉の戸当り部に戸当りゴムまたは透明のビニールを取り付けた場合の図である。
【符号の説明】
【００２６】
１  ガラス扉
２  かごの出入口柱又は三方枠の縦枠
３  ガラス板
３ａ  肉厚のガラス板
３ｂ  肉薄のガラス板
３ｃ  中間厚のガラス板
４  中間膜
５ａ  戸当りゴム
５ｂ  透明のビニール
６  かご室
７  昇降路
【図１】
2008019065.tif 000003
【図２】
2008019065.tif 000004
【図３】
2008019065.tif 000005
【図４】
2008019065.tif 000006
【図５】
2008019065.tif 000007